(57)【特許請求の範囲】
【請求項１】
先端部と、操作部の操作に応じて屈曲する湾曲部と、軟性部とが連なるように構成された内視鏡スコープの挿入部に装着されて用いられる圧力センサであって、
前記湾曲部の周囲に装着される環状部分を有して構成されるとともに、前記環状部分の内周が、前記湾曲部の屈曲箇所に対応する大きさとして、当該湾曲部の非屈曲時の外周の大きさに対して所定の屈曲変化想定量を加味した大きさに形成される圧力センサ。
【請求項２】
前記湾曲部の屈曲極点の周囲に装着されるとともに、前記環状部分の内周が前記屈曲極点に対応する大きさに形成される請求項１記載の圧力センサ。
【請求項３】
前記湾曲部の周方向に沿って延びるリング状の第１電極と、
圧力を受けることで生じた変形量に応じて電気的特性が変化する弾性体からなる感圧部材と、
前記第１電極の延在方向とは交差する方向に延びる線状の第２電極と、
が順に積層されてなる積層体を備え、
前記積層体が前記環状部分を構成する請求項１または２に記載の圧力センサ。
【請求項４】
所定の間隔で配列された複数の導電性糸を有する異方導電性布を備え、
前記異方導電性布における前記導電性糸が前記第２電極を構成する
請求項３に記載の圧力センサ。
【請求項５】
一端が前記湾曲部のセンサ装着位置よりも前記先端部の側で前記挿入部の外周に取り付けられ、他端が前記湾曲部のセンサ装着位置にて前記環状部分の外周に取り付けられ、前記一端から前記他端に向けて拡がるテーパ形状に形成された第１ガイド部を備える請求項１から４のいずれか１項に記載の圧力センサ。
【請求項６】
一端が前記湾曲部のセンサ装着位置にて前記環状部分の外周に取り付けられ、他端が前記湾曲部のセンサ装着位置よりも前記軟性部の側で前記挿入部の外周に取り付けられ、前記一端から前記他端に向けて窄まる逆テーパ形状に形成された第２ガイド部を備える請求項１から５のいずれか１項に記載の圧力センサ。
【請求項７】
前記第１電極は、前記湾曲部の軸方向に沿って延びる複数の直線部分を有するとともに、前記複数の直線部分を繋ぎ合わせることで全体としてリング状を構成している請求項３に記載の圧力センサ。
【請求項８】
請求項１から７のいずれか１項に記載の圧力センサが前記湾曲部の周囲に装着されてなる内視鏡スコープ。
【請求項９】
請求項８に記載の内視鏡スコープと、
前記内視鏡スコープに装着された前記圧力センサからの検出信号を取得して処理する制御部と、
前記制御部による信号処理結果を出力する信号出力部と、
を備える内視鏡装置。
【発明の詳細な説明】
【技術分野】
【０００１】
本発明は、内視鏡スコープに用いられる圧力センサ、その圧力センサを備えた内視鏡スコープ、および、その内視鏡スコープを備えて構成された内視鏡装置に関する。
【背景技術】
【０００２】
消化器系の内視鏡検査に用いられる内視鏡スコープとしては、被術者（内視鏡検査の被検者）の体内に挿入される挿入部の先端部分に圧力センサを装着して、その先端部分に加わる外力を圧力センサにより検出することで、その外力の大きさを術者（内視鏡スコープの操作者）に提示できるようにしたものがある（例えば、特許文献１参照）。
【先行技術文献】
【特許文献】
【０００３】
【特許文献１】国際公開第２０１２／１５３７０３号
【発明の概要】
【発明が解決しようとする課題】
【０００４】
しかしながら、上述した従来構成では圧力センサが挿入部の先端部分のみに装着されているが、内視鏡スコープにおいて、圧力センサは挿入部の先端部分以外の箇所にも装着されるべきである。大腸穿孔等の発生を未然に回避するためには、挿入部の先端部分以外での体内組織との接触を検知することが必要だからである。
【０００５】
ただし、内視鏡スコープの挿入部は、その挿入経路（例えば大腸や小腸等の消化器管路）の形状等に合わせて自在に屈曲するように構成されている。そのため、挿入部の先端部分以外の箇所に圧力センサを装着する場合には、挿入部の屈曲時または非屈曲時のいずれの状態においても、また挿入部がどの方向に屈曲した状態においても、その屈曲等の影響を受けることなく、圧力センサが適切な加圧検知を行い得るようにしなければならない。特に、挿入部の屈曲箇所は、体内組織との接触が生じ易い箇所である。このような箇所において適切な加圧検知を行うことは、大腸穿孔等の発生を未然に回避する上で非常に重要である。
【０００６】
そこで、本発明は、挿入部の屈曲箇所においても適切な加圧検知を行うことができる圧力センサ、内視鏡スコープおよび内視鏡装置を提供することを目的とする。
【課題を解決するための手段】
【０００７】
本発明は、上記目的を達成するために案出されたものである。
（本発明の一態様）
本発明の一態様は、
先端部と、操作部の操作に応じて屈曲する湾曲部と、軟性部とが連なるように構成された内視鏡スコープの挿入部に装着されて用いられる圧力センサであって、
前記湾曲部の周囲に装着される環状部分を有して構成されるとともに、前記環状部分の内周が前記湾曲部の屈曲箇所に対応する大きさに形成される圧力センサである。
（本発明の他の一態様）
本発明の他の一態様は、
上記一態様に記載の圧力センサが前記湾曲部の周囲に装着されてなる内視鏡スコープである。
（本発明のさらに他の一態様）
本発明のさらに他の一態様は、
上記他の一態様に記載の内視鏡スコープと、
前記内視鏡スコープに装着された前記圧力センサからの検出信号を取得して処理する制御部と、
前記制御部による信号処理結果を出力する信号出力部と、
を備える内視鏡装置である。
【発明の効果】
【０００８】
本発明によれば、内視鏡スコープの挿入部の屈曲箇所においても適切な加圧検知を行うことができる。
【図面の簡単な説明】
【０００９】
【図１】本発明に係る内視鏡スコープおよび内視鏡装置の概略構成例を模式的に示す説明図である。
【図２】内視鏡スコープの湾曲部の屈曲態様の一具体例を示す説明図である。
【図３】本発明に係る圧力センサの一具体例の構成要素を模式的に示す説明図（その１）であり、環状部分の構成例を示す図である。
【図４】本発明に係る圧力センサの一具体例の構成要素を模式的に示す説明図（その２）であり、第１ガイド部および第２ガイド部の構成例を示す図である。
【図５】本発明に係る圧力センサの一具体例の構成要素を模式的に示す説明図（その３）であり、変形抑制部材の構成例を示す図である。
【図６】本発明に係る圧力センサの一具体例の構成要素を模式的に示す説明図（その４）であり、圧力感応部の構成例を示す図である。
【図７】本発明に係る圧力センサの一具体例の構成要素の製造手順を示す説明図である。
【図８】内視鏡スコープの挿入部に装着された圧力センサに対するセンサ負荷状態の一例を模式的に示す説明図である。
【図９】本発明に係る圧力センサの他の具体例の構成要素を模式的に示す説明図であり、感圧部材の領域分割の構成例を示す図である。
【図１０】本発明に係る圧力センサの他の具体例の構成要素の製造手順を示す説明図（その１）である。
【図１１】本発明に係る圧力センサの他の具体例の構成要素の製造手順を示す説明図（その２）である。
【図１２】本発明に係る圧力センサの他の具体例の構成要素の製造手順を示す説明図（その３）である。
【図１３】本発明に係る圧力センサの構成要素の変形例を模式的に示す説明図（その１）であり、第1電極の変形例を示す図である。
【図１４】本発明に係る圧力センサの構成要素の変形例を模式的に示す説明図（その２）であり、領域分割の変形例を示す図である。
【発明を実施するための形態】
【００１０】
以下、図面に基づき本発明に係る圧力センサ、内視鏡スコープおよび内視鏡装置について説明する。
【００１１】
（１）内視鏡スコープおよび内視鏡装置の概略構成
先ず、内視鏡スコープおよび内視鏡装置について、大腸内を撮像するように構成されたものを例に挙げて説明する。
図１は、内視鏡スコープおよび内視鏡装置の概略構成例を模式的に示す説明図である。
【００１２】
（内視鏡装置）
本実施形態で説明する内視鏡装置１は、内視鏡スコープ２と、制御本体部３と、モニタ部４と、を備えて構成されている。
【００１３】
（内視鏡スコープ）
内視鏡スコープ２は、被術者（内視鏡検査の被検者）の体内に挿入される挿入部１０と、挿入部１０の屈曲操作等を術者（内視鏡スコープ２の操作者）が行うための操作部２０と、を備えている。また、内視鏡スコープ２の挿入部１０には、詳細を後述するように、圧力センサ３０が装着されている。
【００１４】
挿入部１０は、樹脂材料からなる外皮によって被覆された長尺管状のもので、その先端側から先端部１１、湾曲部１２および軟性部１３が順に配されて構成されている。具体的には、挿入部１０は、例えば、６〜１３ｍｍ程度の管外周径を有し、先端から５０ｍｍ程度までの範囲に先端部１１が配され、さらにそこから５０〜１００ｍｍ程度までの範囲に湾曲部１２が配され、全長が１０００ｍｍ程度となるように構成されたものが一般的である。
【００１５】
先端部１１の端面には、少なくとも投光部および画像取得部（ただし、いずれも不図示）が設けられている。そして、投光部から照射した光が腸壁で反射され、その反射光を画像取得部で受光することにより、腸内画像を取得するように構成されている。投光部としては、制御本体部３の光源からの光を導くように挿入部１０内に配されたライトガイドや、先端部１１に配された発光素子（例えばＬＥＤ）等、の公知の構成を使用し得る。また、画像取得部の構成は、特に限定されないが、先端部１１に設けられた対物レンズで腸壁からの反射光を集光し、この光を対物レンズの結像位置に配置された撮像素子（例えばＣＣＤ）によって受光し、そこで得られた画像信号を挿入部１０内に設けられた信号線を通じて制御本体部３に送る構成のものが一例として挙げられる。なお、先端部１１の端面には、投光部および画像取得部の他に、処置具の出し入れと吸引口を兼ねた鉗子口（ただし不図示）や、水や空気を送り出すノズル（ただし不図示）等が設けられていてもよい。
【００１６】
湾曲部１２は、操作部２０の操作に応じて屈曲するように構成された部分である。さらに詳しくは、湾曲部１２は、その内部に間接コマ（ただし不図示）が配されているとともに、その間接コマが挿入部１０内を通るワイヤ（ただし不図示）によって操作部２０と連結されている。このような構成により、湾曲部１２は、操作部２０での操作内容に応じて、アップアングル、ダウンアングル、レフトアングル、ライトアングル等の各方向に屈曲し得るようになっている。また、屈曲する量（曲率）についても、操作部２０での操作内容次第で調整し得るようになっている。
【００１７】
軟性部１３は、湾曲部１２に連なる部分で、信号線やワイヤ等を内包しつつ、屈曲可能な柔軟性（可撓性）を有して構成されたものである。ただし、軟性部１３は、操作部２０の操作に応じて屈曲する湾曲部１２とは異なり、能動的な屈曲を実現可能とする機能は有していない。すなわち、軟性部１３は、周囲の状況（例えば、大腸の腸管形状）に応じて受動的に屈曲し得るものに過ぎない。
【００１８】
（制御本体部）
制御本体部３は、例えばＣＰＵ、ＲＡＭ、ＲＯＭ等を組み合わせて構成されたコンピュータ装置からなるもので、予めインストールされている所定プログラムを実行することで、内視鏡スコープ２を含む内視鏡装置１全体の動作制御を行うものである。具体的には、制御本体部３は、内視鏡スコープ２の先端部１１の投光部から光を照射するように動作指示を与えたり、その先端部１１の撮像素子で得られた画像信号を受け取って必要な画像処理や記録処理等を行ったりする。
【００１９】
また、制御本体部３は、内視鏡スコープ２の挿入部１０に装着された圧力センサ３０からの検出信号を取得して処理することで、その圧力センサ３０に対する加圧量や加圧位置等を認識し得るようになっている。つまり、制御本体部３は、内視鏡スコープ２に装着された圧力センサ３０からの検出信号を取得して処理する「制御部」としての機能をも有している。
【００２０】
（モニタ部）
モニタ部４は、例えば液晶ディスプレイ等の表示装置からなるもので、主として内視鏡スコープ２で取得された画像を術者（内視鏡スコープの操作者）に対して表示出力するものである。
【００２１】
また、モニタ部４は、圧力センサ３０からの検出信号についての制御本体部３での信号処理結果を出力するようになっている。つまり、モニタ部４は、圧力センサ３０でのセンサ検知結果に対する制御本体部３での信号処理結果を出力する「信号出力部」としての機能をも有している。この出力結果を参照することで、術者は、圧力センサ３０に対する加圧量や加圧位置等がどのような状態であるかを把握し得るようになる。この信号出力は、モニタ部４の表示画面上において、内視鏡スコープ２で取得された画像に重ねて行うことが考えられるが、必ずしもこれに限定されることはない。例えば、モニタ部４の表示画面に付設されたインジケータ部を利用した光の表示出力によって行ってもよい。また、この信号出力は、視覚によって認識できる画像または光の表示出力に限定されることはなく、聴覚によって認識できる音出力、触覚によって認識できる振動出力、またはこれらを適宜組み合わせたものによって行ってもよい。より具体的には、液晶ディスプレイ等の表示装置に加えて、または液晶ディスプレイ等の表示装置とは別に、ランプ、警報ブザー、バイブレーションシステム等を利用して、センサ検知結果の出力を行うことが考えられる。
【００２２】
ただし、いずれの出力態様の場合であっても、モニタ部４は、圧力センサ３０が検知した圧力の大きさを識別可能な態様で出力するものであることが望ましい。例えばモニタ部４が光の表示出力を行う場合であれば、圧力センサ３０が検知した圧力の大きさに応じて表示レベルが可変するような態様でセンサ検知結果の出力を行うことが考えられる。また、これに限られることはなく、ディスプレイの表示内容、ランプの数・輝度・色、ブザー音量、バイブ振動強さ・振動周期等を、検知圧力の大きさに応じて適宜可変させながら、センサ検知結果の出力を行うようにしてもよい。
【００２３】
（内視鏡装置の使用態様）
ここで、以上のような構成の内視鏡装置１の使用態様について簡単に説明する。
【００２４】
内視鏡装置１は、内視鏡スコープ２の挿入部１０を被術者（内視鏡検査の被検者）の体内に挿入して使用する。挿入部１０の挿入は、例えば、被術者の肛門から大腸へ向けて行う。このとき、大腸や小腸等は屈曲した複雑な管路形状を有しているため、挿入部１０の挿入にあたり、術者（内視鏡スコープの操作者）は、必要に応じて内視鏡スコープ２の操作部２０を操作して挿入部１０の湾曲部１２を屈曲させながら、挿入部１０の押し込み操作を行う。
【００２５】
ただし、湾曲部１２を屈曲させながら挿入部１０の押し込み操作を行う場合には、その屈曲箇所が体内組織（具体的には、例えば腸壁）と接触してしまうおそれがある。特に、湾曲部１２の屈曲極点については、腸壁等との接触が生じ易い。「屈曲極点」とは、湾曲部１２の屈曲の度合いが最も高まる点のことをいい、具体的には、屈曲箇所の曲率が最も小さくなる点、または屈曲した際の頂点と見做せるような点が該当する。
このような屈曲極点に代表される湾曲部１２の屈曲箇所の腸壁等との接触は、場合によっては腸管穿孔に繋がる可能性があり、その発生を未然に回避すべきである。しかしながら、湾曲部１２の屈曲箇所は、挿入部１０の先端部１１で撮像可能な領域範囲から外れており、術者の手に伝わる感触のみによって腸壁等との接触の有無を判断することが非常に困難である。
【００２６】
以上のことを鑑み、本実施形態で説明する内視鏡装置１の内視鏡スコープ２では、挿入部１０における湾曲部１２、すなわち体内への挿入時に能動的に屈曲させることで屈曲箇所となる部分に、腸壁等との接触による加圧を検知する圧力センサ３０が装着されているのである。ただし、圧力センサ３０の装着箇所は、湾曲部１２のみに限定されるものではなく、先端部１１や軟性部１３等を含んでいてもよい。
【００２７】
（２）圧力センサの一具体例
次に、内視鏡スコープ２の挿入部１０に装着される圧力センサ３０の一具体例について説明する。
【００２８】
（圧力センサの概要）
圧力センサ３０は、腸壁等の体内組織との接触による加圧を検知するものである。加圧検知は、圧力を受けることで生じた変形量に応じて電気的特性が変化する弾性体からなる感圧部材を利用して行う。つまり、圧力センサ３０は、感圧部材の電気的特性の変化を利用して、加圧による圧力値の大きさを電気信号として取り出すように構成されている。このような構成で加圧検知を行えば、センサ大型化を抑制しつつ簡素な構成で必要十分な感度や分解能等が得られるようになり、内視鏡スコープ２の挿入部１０に装着する上で非常に好適なものとなる。
【００２９】
ところで、圧力センサ３０は、上述したように、挿入部１０の湾曲部１２に装着される。したがって、圧力センサ３０は、湾曲部１２の屈曲に適切に対応し得るものでなければならない。「屈曲に適切に対応し得る」とは、湾曲部１２の屈曲を阻害することなく当該湾曲部１２の屈曲箇所へのセンサ装着が可能であり、かつ、センサ装着状態にて湾曲部１２の屈曲に起因するセンサ誤検出が生じないようにすることをいう。
【００３０】
ここで、内視鏡スコープ２の湾曲部１２の屈曲態様について簡単に説明する。
図２は、湾曲部の屈曲態様の一具体例を示す説明図である。
内視鏡スコープ２の挿入部１０では、湾曲部１２が操作部２０の操作に応じて屈曲する。このとき、挿入部１０を被覆する外皮が柔軟性を有していることから、屈曲箇所の内側部分には、図２（ａ）に示すように、外皮の皺１０ａが発生することが経験的に知られている。
特に、近年では、図２（ｂ）に示すように、湾曲部１２が屈曲する際の最小曲率が小さくなる傾向にある。そのため、屈曲箇所の内側部分における外皮の皺１０ａの発生が、より一層顕著なものとなる。具体的には、皺１０ａの発生が多くなり、そのサイズも大きいものとなる。
このような皺１０ａの発生は、湾曲部１２の屈曲に起因するセンサ誤検出を招く要因となり得る。例えば、皺１０ａの発生によりその皺１０ａが圧力センサ３０を加圧してしまうと、腸壁等の体内組織との接触ではないにも拘らず（すなわち、検知すべき加圧ではないにも拘らず）、そのことを圧力センサ３０が検知してしまう。
【００３１】
このように、湾曲部１２は、屈曲すると、例えば皺１０ａの発生の影響で、その屈曲箇所の外形形状が変形してしまう可能性がある。したがって、湾曲部１２に装着される圧力センサ３０は、湾曲部１２に屈曲による変形が生じ得る場合であっても、その屈曲に適切に対応し得るものである必要がある。
【００３２】
（圧力センサの基本的な構成例）
以上のことを鑑み、ここで例に挙げて説明する圧力センサ３０は、以下に述べるように構成されている。
図３〜６は、圧力センサの一具体例の構成要素を模式的に示す説明図である。
【００３３】
図３に示すように、圧力センサ３０は、内視鏡スコープ２の挿入部１０における被検出箇所（体内組織との接触を検知すべき箇所）に装着される装着部分３１と、その装着部分３１から挿入部１０に沿って制御本体部３まで延びる信号線３２と、を有して構成されている。
【００３４】
（環状の装着部分）
装着部分３１は、加圧を検知するための圧力感応部（ただし不図示）を備えつつ、挿入部１０の被検出箇所に装着されるように構成された部分であり、さらに詳しくは、挿入部１０の被検出箇所の外周を全周にわたって囲う環状に形成された部分である。なお、ここでいう「環状」とは、圧力感応部が全周にわたって連続している必要はなく、圧力感応部以外の構成部品も含めて装着部分３１が環状であれば、圧力感応部が周方向に分断されているような構成も含む。以下、環状に形成された装着部分３１のことを単に「環状部分」という。
【００３５】
環状部分３１が装着される挿入部１０の被検出箇所としては、特に湾曲部１２の屈曲極点が挙げられる。「屈曲極点」とは、湾曲部１２の屈曲の度合いが最も高まる点のことをいい、具体的には、屈曲箇所の曲率が最も小さくなる点、または屈曲した際の頂点と見做せるような点が該当する。このような屈曲極点は、尖り易い部分であり腸穿孔等を生じさせ易い部分だからである。なお、屈曲極点の具体的な位置は、内視鏡スコープ２の仕様によっても異なるが、例えば湾曲部１２の軸方向長さの中点付近に存在することが一般的である。
【００３６】
このように、環状部分３１は、湾曲部１２（特に屈曲極点）の外周を全周にわたって囲うように構成されている。ただし、環状部分３１は、湾曲部１２以外の先端部１１または軟性部１３にも装着され得るものであってもよい。
【００３７】
また、環状部分３１は、上述した被検出箇所への装着のために、当該環状部分３１の内周が湾曲部１２の屈曲箇所に対応する大きさに形成されている。「屈曲箇所に対応する大きさ」とは、「屈曲した状態」の湾曲部１２の周囲に装着可能な大きさのことをいう。したがって、湾曲部１２の屈曲極点への装着のためには、環状部分３１は、屈曲した状態の屈曲極点の周囲に装着可能な大きさに形成されることになる。
【００３８】
さらに詳しくは、「屈曲箇所に対応する大きさ」という概念には、後述する（イ）〜（ハ）の態様が包含される。具体的には、（イ）湾曲部１２の屈曲による変形を考慮しつつ、変形が生じてもセンサ加圧が生じないように、湾曲部１２の外周よりも大きく設定された大きさ、（ロ）湾曲部１２に後述する変形抑制部材が装着されている場合であれば、当該変形抑制部材の外周に相当する大きさ、（ハ）内視鏡スコープ２の挿入部１０の内部(外皮の下)に皺等の回避機構が組み込まれている場合であれば、その回避機構を内包した被覆部分の外周に相当する大きさ、の各態様が包含される。
以下、これらの各態様について、具体的に説明する。
【００３９】
（上記（イ）の態様について）
上記（イ）の態様の場合、環状部分３１の内周（図３中における寸法Ａ参照）は、湾曲部１２の屈曲箇所に対応する大きさとして、当該湾曲部１２の非屈曲時の外周の大きさ（図３中における寸法Ｂ参照）に対して所定の屈曲変化想定量を加味した大きさに形成される。「屈曲変化想定量」とは、湾曲部１２が屈曲したときに生じることが想定される当該湾曲部１２の外径変化量であり、シミュレーション計算や実験結果（実測値）等に基づいて内視鏡スコープ２毎（機種毎、型式毎等）に予め設定し得る量である。
【００４０】
このように、環状部分３１の内周の大きさを湾曲部１２の非屈曲時よりも屈曲変化想定量の分だけ大きくすれば、湾曲部１２の屈曲によりその外周部分に皺１０ａが寄って外径が増大したような場合であっても、その増大後の外径に環状部分３１の内周の大きさがほぼ合致することになる。つまり、湾曲部１２の屈曲により当該湾曲部１２の外径が増大するように変形しても、これにより圧力センサ３０の環状部分３１の内周側が加圧されてしまうことがない。したがって、湾曲部１２が屈曲する場合であっても、これに起因するセンサ誤検出等が生じるのを抑制できる。
【００４１】
なお、上記（イ）の態様の場合においては、図４に示すように、環状部分３１に付随して、第１ガイド部３３と第２ガイド部３４のいずれか一方または両方を設けることが考えられる。
【００４２】
第１ガイド部３３は、一端が湾曲部１２の被検出箇所（センサ装着位置）よりも先端部１１の側で挿入部１０の外周に取り付けられ、他端が湾曲部１２のセンサ装着位置にて環状部分３１の外周に取り付けられ、一端から他端に向けて拡がるテーパ形状に形成されたものである。第１ガイド部３３は、特に限定されるものではないが、例えば樹脂フィルム材によって形成することが考えられる。このような第１ガイド部３３を備えていれば、環状部分３１が非屈曲時の湾曲部１２よりも大径に形成されている場合であっても、挿入部１０の挿入作業時に環状部分３１の引っ掛かり等が生じるのを抑制することができる。
【００４３】
第２ガイド部３４は、一端が湾曲部１２のセンサ装着位置）にて環状部分３１の外周に取り付けられ、他端が湾曲部１２のセンサ装着位置よりも軟性部１３の側で挿入部１０の外周に取り付けられ、一端から他端に向けて窄まる逆テーパ形状に形成されたものである。第２ガイド部３４は、第１ガイド部３３と同様に、特に限定されるものではないが、例えば樹脂フィルム材によって形成することが考えられる。このような第２ガイド部３４を備えていれば、環状部分３１が非屈曲時の湾曲部１２よりも大径に形成されている場合であっても、挿入部１０の抜去作業時に環状部分３１の引っ掛かり等が生じるのを抑制することができる。
【００４４】
（上記（ロ）の態様について）
上記（ロ）の態様の場合、図５に示すように、湾曲部１２には、変形抑制部材１４が装着されているものとする。変形抑制部材１４は、湾曲部１２が屈曲したときに外皮に皺１０ａ等が寄って外径変化が生じるのを抑制するために当該湾曲部１２の屈曲箇所の外周に装着される部材である。具体的には、変形抑制部材１４は、例えば、挿入部１０の外皮の変形を抑制できる程度に伸縮性が抑えられた材料からなるテープ状部材を、湾曲部１２の屈曲箇所の外周に巻き回して構成することが考えられる。ただし、これに限定されることはなく、湾曲部１２が屈曲したときの外径変化を抑制し得るものであれば、他の部材によって構成されたものであってもよい。
【００４５】
このような変形抑制部材１４が装着されていることから、上記（ロ）の態様の場合、環状部分３１の内周は、湾曲部１２の屈曲箇所に対応する大きさとして、当該屈曲箇所に装着されている変形抑制部材１４の外周に相当する大きさに形成される。そして、変形抑制部材１４の外周を囲うように環状部分３１が装着されることになる。
【００４６】
湾曲部１２の屈曲箇所に変形抑制部材１４が装着されていれば、湾曲部１２が屈曲しても、変形抑制部材１４の装着箇所については、皺１０ａが寄って外径が増大してしまうようなことがない。したがって、変形抑制部材１４の外周に装着された環状部分３１に対しては、湾曲部１２が屈曲しても、これにより圧力センサ３０の環状部分３１の内周側が加圧されてしまうことがなく、湾曲部１２の屈曲に起因するセンサ誤検出等が生じるのを抑制できる。
【００４７】
しかも、環状部分３１は、その内周が変形抑制部材１４の外周に相当する大きさであることから、湾曲部１２の屈曲の有無に拘らず、変形抑制部材１４の外周の径に環状部分３１の内周の大きさがほぼ合致することになる。つまり、環状部分３１は、湾曲部１２の屈曲状態と非屈曲状態のいずれの場合においても、内周が変形抑制部材１４の外周にほぼ合致した装着状態にて外部からの加圧検知を行うことになる。したがって、湾曲部１２の屈曲状態のみならず、湾曲部１２の非屈曲状態においても、外部からの加圧検知の検出精度向上が図れるようになる。
【００４８】
なお、上記（ロ）の態様の場合においても、上記（イ）の態様の場合と同様に、第１ガイド部３３と第２ガイド部３４のいずれか一方または両方を設けるようにしてもよい。
【００４９】
（上記（ハ）の態様について）
上記（ハ）の態様の場合、湾曲部１２には、上記（ロ）の態様の場合における変形抑制部材１４と同様の機能の果たす回避機構が、当該湾曲部１２を被覆する外皮の内側に設けられているものとする。かかる回避機構は、湾曲部１２が屈曲したときに外皮に皺１０ａ等が寄って外径変化が生じるのを抑制し得るものであればよく、その具体的な構成が特に限定されるものではない。
【００５０】
このような回避機構が湾曲部１２の外皮内に設けられていることから、上記（ハ）の態様の場合、環状部分３１の内周は、湾曲部１２の屈曲箇所に対応する大きさとして、回避機構を内包した被覆部分の外周に相当する大きさに形成される。そして、その被覆部分の外周を囲うように環状部分３１が装着されることになる。
【００５１】
湾曲部１２が回避機構を内包していれば、湾曲部１２が屈曲しても、その回避機構が配された箇所については、皺１０ａが寄って外径が増大してしまうようなことがない。したがって、湾曲部１２が屈曲しても、これにより圧力センサ３０の環状部分３１の内周側が加圧されてしまうことがなく、湾曲部１２の屈曲に起因するセンサ誤検出等が生じるのを抑制できる。
しかも、環状部分３１は、湾曲部１２の屈曲状態と非屈曲状態のいずれの場合においても、内周が湾曲部１２の外皮の外周にほぼ合致した装着状態にて外部からの加圧検知を行うことになる。したがって、湾曲部１２の屈曲状態のみならず、湾曲部１２の非屈曲状態においても、外部からの加圧検知の検出精度向上が図れるようになる。
【００５２】
（圧力感応部の詳細）
ところで、上記（イ）〜（ハ）のいずれの態様の場合においても、環状部分３１は、当該環状部分３１が備える圧力感応部により外部からの加圧検知を行う。ここで、圧力感応部の構成例について詳細に説明する。
【００５３】
環状部分３１は、例えば、図６（ａ）に示すような断面構造を有している。図６（ａ）は、図３中におけるＣ−Ｃ断面を模式的に示している。
図例のように、環状部分３１は、第１電極３１１と感圧部材３１２と第２電極３１３とが順に積層されてなる積層体を備えている。積層体は、フィルム部材３１４によって覆われている。つまり、環状部分３１は、フィルム部材３１４によって覆われた積層体を円環状に配することによって構成されている。このとき、積層体は、その積層方向が円環の周方向とほぼ直交するように（すなわち円環の径方向に沿うように）するように配置される。
【００５４】
第１電極３１１は、細径の線状導電性材料（例えば、銀線、金線、ステンレススチール線等、径が約１００〜５００μｍ程度の導電性金属線材）によって形成され、ある一方向である環状部分３１の周方向（すなわち、環状部分３１が装着される湾曲部１２の外周の周方向）に沿って延びるリング状に配設されたものである。
【００５５】
感圧部材３１２は、圧力を受けることで生じた変形量に応じて電気的特性が変化する弾性体からなるもので、第１電極３１１の周囲を全周にわたって被覆するチューブ状に形成されたものである。つまり、チューブ状に形成された感圧部材３１２の中空孔に、第１電極３１１が挿入されるように構成されている。
感圧部材３１２において変化する「電気的特性」としては、具体的には電気抵抗、静電容量、電圧等が挙げられるが、ここでは電気抵抗が変化するように感圧部材３１２が構成されている場合を例に挙げる。つまり、感圧部材３１２を構成する弾性体は、圧力を受けることで生じた変形量に応じて電気抵抗が変化する感圧式導電性ゴムからなるものである。このような感圧式導電性ゴムの材料自体については、例えば導電材を含む感圧エストラマのような公知技術を利用して形成されたものであればよく、ここではその詳細な説明を省略する。
【００５６】
第２電極３１３は、第１電極３１１の延在方向である一方向とは交差する方向に延びる線状電極からなるものである。第２電極３１３の延在方向としては、例えば第１電極３１１の延在方向と略直交する方向が挙げられるが、必ずしもこれに限定されることはなく、第１電極３１１の延在方向とは平行でなく、必ず交差する方向であればよい。また、第２電極３１３については、その延在方向に沿って複数のものを所定の間隔で並ぶように配列させることが考えられるが、その配列数が特に限定されることはなく、適宜設定されたものであればよい。配列数が多ければ検出分解能を向上させ得るようになり、配列数が少なければセンサ構成の複雑化を抑制し得るようになる。
【００５７】
このような第２電極３１３は、例えば異方導電性布３１３ａによって形成することが考えられる。異方導電性布３１３ａは、図６（ｂ）に示すように、非導電性繊維の織物３１３ｂにおける縦糸または横糸の一部を予め定めた一定の間隔で導電性糸３１３ｃに置換したもの、または非導電性繊維の織物３１３ｂに予め定めた一定の間隔で導電性糸３１３ｃを縫い込んだものである。非導電性繊維としては、例えばポリエチレンテレフタレート（ＰＥＴ）繊維を用いることが考えられるが、ＰＥＴ以外であっても非導電性のものであれば種類を問わない。ただし、非導電性繊維は、耐熱性および化学的耐性を有することが望ましい。一方、導電性糸３１３ｃは、銀糸、金糸、ステンレススチール糸、炭素繊維、銀めっきナイロン糸等の細径で導電性および柔軟性を有するものであれば使用することができ、その径は非導電性繊維の繊維径と同程度とすることが望ましい。非導電性繊維および導電性糸３１３ｃの径は、数μｍ〜数十μｍ程度とすることが考えられる。このような構成によれば、異方導電性布３１３ａとして、例えば厚さが５０μｍ程度で非常に柔軟性に富んだものが得られる。このような異方導電性布３１３ａを用いれば、導電性糸３１３ｃが第２電極３１３として機能することになる。第２電極３１３となる導電性糸３１３ｃの配置間隔は、特に臨界的限度はないが、圧力分布を高分解能で測定できるようにするためには０．５〜１．０ｍｍ程度とすればよく、用途によっては１〜数ｃｍ程度となるようにすることもできる。
【００５８】
フィルム部材３１４は、積層体の保護膜として機能するもので、防水性、絶縁性、化学的耐性および柔軟性等を有した樹脂材料からなるフィルム材（例えば、３０μｍ程度の厚さのポリウレタンフィルム材）によって形成されている。
【００５９】
以上のような積層体を用いて構成された環状部分３１では、当該積層体のいずれかの箇所が外力によって加圧されると、その加圧箇所の感圧部材３１２が圧力を受けることで変形する。感圧部材３１２が変形すると、その変形量に応じて感圧部材３１２における電気抵抗、すなわち感圧部材３１２が介在する第１電極３１１と第２電極３１３との間の電気抵抗が変化する。したがって、このような構成の環状部分３１を用いれば、第１電極３１１と第２電極３１３との間の電気抵抗の大きさをモニタリングすることで、その圧力センサ５に対する加圧を検知することができるようになる。つまり、圧力値を電気抵抗値として取り出すことができ、簡素な構成で必要十分な感度や分解能等が得られる。なお、圧力値を電気抵抗値として取り出すために、第１電極３１１と第２電極３１３のそれぞれには、信号線３２が接続されている。
【００６０】
（環状部分の製造手順）
ここで、上述した構成の環状部分３１の製造手順を説明する。
図７は、圧力センサの一具体例の構成要素の製造手順を示す説明図である。
【００６１】
環状部分３１の製造にあたっては、先ず、図７（ａ）に示すように、第１電極３１１の周囲を感圧部材３１２で被覆して、第１電極３１１と感圧部材３１２とが同心状に配置されてなるものを形成する。第１電極３１１および感圧部材３１２の軸方向長さは、環状部分３１の周長と同程度、すなわち湾曲部１２の屈曲箇所に対応する大きさに相当する長さ程度とする。なお、感圧部材３１２による第１電極３１１の被覆は、チューブ状の感圧部材３１２の中空孔に第１電極３１１を挿入することで行うことが考えられるが、必ずしもこれに限定されることはなく、通常の絶縁単線の製造方法と同様に長尺状の被覆体を形成した後に当該被覆体を所定長さに切断することにより作製してもよい。
【００６２】
感圧部材３１２による第１電極３１１の被覆体を形成した後は、次いで、所定サイズの異方導電性布３１３ａを用意し、異方導電性布３１３ａの複数の導電性糸３１３ｃが第１電極３１１と直交するように、形成した被覆体を異方導電性布３１３ａの略中央部に載置する。そして、被覆体の載置位置を中心にして、その両側に位置する異方導電性布３１３ａのうちの一方側を折り返し、その一方側の異方導電性布３１３ａを他方の側の異方導電性布３１３ａに短絡しないように重ね合わせる。これにより、異方導電性布３１３ａは、図７（ｂ）に示すように、感圧部材３１２による第１電極３１１の被覆体を一方の端縁側に挟んで折り畳まれた状態となる。折り畳まれた異方導電性布３１３ａでは、複数の導電性糸３１３ｃのそれぞれが第２電極３１３を構成する。なお、折り畳まれた異方導電性布３１３ａの間には、折り畳まれた状態の安定化のために、両面テープ、接着剤または粘着材を設けてもよい。
【００６３】
異方導電性布３１３ａを折り畳んだ状態とした後は、次いで、図７（ｃ）に示すように、第１電極３１１および第２電極３１３のそれぞれに対して個別に信号線３２を接続する。信号線３２としては、例えばエナメル線等の表面が絶縁された金属線を用いる。なお、信号線３２については、そのうちの半数を一方の側に（図中における左側）に纏めるように折り曲げ、残りの半数を反対側に纏めるように折り曲げることが考えられる。このようにすれば、複数本の信号線３２が接続されている場合であっても、環状部分３１を構成した際に、その環状部分３１から延びる信号線３２の位置を一箇所に纏めることが可能となるからである。また、信号線３２については、それぞれの位置が安定するようにするため、粘着テープによって固定するようにしてもよい。さらに、信号線３２については、表面が絶縁された金属線に代えてフレキシブルプリント配線基板を用いてもよい。
【００６４】
その後は、図７（ｄ）に示すように、第１電極３１１および感圧部材３１２を挟んで折り畳まれた状態とされた異方導電性布３１３ａと、そこから延びる信号線３２の一部とを、フィルム部材３１４によって被覆する。このフィルム部材３１４は、内面側に粘着材が塗布されているものやヒートシール性フィルムからなるもの等を使用すると、被覆が容易となる。フィルム部材３１４による被覆後は、その最大厚さ（第１電極３１１および感圧部材３１２の配置箇所の厚さ）が、例えば０．９〜１．２ｍｍ程度となる。
【００６５】
そして、フィルム部材３１４による被覆後は、その被覆後の構造体が円環状となるように成形する。これにより、図３に示した環状部分３１が得られることになる。また、第１電極３１１は実質的にリング状になるとともに、第１電極３１１、感圧部材３１２および第２電極３１３からなる積層体についても環状に配置されることになる。さらに、信号線３２の位置を一箇所に纏めることが可能となる。
【００６６】
なお、このようにして得られる環状部分３１は、図６（ａ）に示した平坦面の側が内周面に位置し、第１電極３１１および感圧部材３１２による突出部分が存在する側が外周面に位置するように成型することが好ましい。そのほうが外部からの加圧を検知する上で好適だからである。そして、その成型にあたっては、内周面によって構成される内径が、上述した「屈曲箇所に対応する大きさ」となるようにする。
【００６７】
（環状部分の被検出箇所への装着）
以上の手順で製造される環状部分３１は、内視鏡スコープ２の挿入部１０における被検出箇所に装着される。挿入部１０の被検出箇所としては、既に説明したように、湾曲部１２（特に、その屈曲極点）が挙げられるが、湾曲部１２以外の先端部１１または軟性部１３を被検出箇所に含んでもよい。
【００６８】
挿入部１０の被検出箇所への環状部分３１の装着は、当該環状部分３１の環内に挿入部１０を嵌入した状態で当該環状部分３１を被検出箇所に位置させ、その状態で当該環状部分３１の位置を固定することによって行えばよい。環状部分３１の位置固定は、例えば、両面テープ、接着剤または粘着材を利用して行えばよい。環状部分３１に第１ガイド部３３または第２ガイド部３４が付設される場合にも、当該環状部分３１と全く同様に、第１ガイド部３３または第２ガイド部３４の位置固定を行えばよい。
【００６９】
また、環状部分３１から延びる信号線３２については、束ねられて挿入部１０の外面に沿って制御本体部３まで延在される。この束ねられた信号線３２の固定についても、例えば、両面テープ、接着剤または粘着材を利用して行えばよい。
【００７０】
（センサ装着後の内視鏡スコープ）
挿入部１０の被検出箇所に圧力センサ３０の環状部分３１が装着された内視鏡スコープ２は、その被検出箇所に対する外部から加圧を検知することができる。しかも、環状部分３１の内周が湾曲部１２の屈曲箇所に対応する大きさに形成されているため、挿入部１０の被検出箇所を湾曲部１２とした場合であっても、湾曲部１２の屈曲に起因するセンサ誤検出等が生じるのを抑制できる。さらには、環状部分３１における第１電極３１１が周方向に延びるリング状に形成されており、その第１電極３１１を全周にわたって被覆するように感圧部材３１２が配されていることから、湾曲部１２がどの方向に屈曲した場合であっても、湾曲部１２に対する外圧が加われば、そのことを検知することができる。一方、環状部分３１における第２電極３１３についても、柔軟性に富む異方導電性布３１３ａを利用して構成されていることから、屈曲する湾曲部１２に装着する上で非常に好適なものとなる。また、異方導電性布３１３ａが薄いものであることから、必要十分な感度や分解能等を実現しつつ、環状部分３１の大型化（厚肉化）等を抑制することができる。
【００７１】
以上のことから、上述した構成の環状部分３１を有して構成された圧力センサ３０は、内視鏡スコープ２の挿入部１０における湾曲部１２に装着されて用いられる場合に、非常に好適なものであるといえる。そして、その圧力センサ３０が湾曲部１２に装着されてなる内視鏡スコープ２は、湾曲部１２の屈曲時または非屈曲時のいずれの状態においても、また湾曲部１２がどの方向に屈曲した状態においても、その屈曲等の影響によるセンサ誤検出等が生じることなく、圧力センサ３０が適切な加圧検知を行い得るようになる。つまり、体内組織との接触が生じ易い湾曲部１２の屈曲箇所についても、適切な加圧検知を行うことができる。
【００７２】
圧力センサ３０による検知結果は、制御本体部３で信号処理された後に、モニタ部４により出力される。これにより、術者（内視鏡スコープ２の操作者）は、内視鏡スコープ２の挿入部１０の体内挿入時に湾曲部１２と体内組織との接触が生じても、そのことをモニタ部４からの出力結果を通じて把握することができる。したがって、術者にとっては、大腸穿孔等の発生を未然に回避する上で、非常に有用なものとなる。
【００７３】
圧力センサ３０の検知結果を出力するモニタ部４については、圧力センサ３０が検知した圧力の大きさを識別可能な態様で出力するように構成されたものであってもよい。このようにモニタ部４が構成されていれば、術者（内視鏡スコープ２の操作者）は、体内組織との接触の発生の有無のみならず、その接触の強さ、すなわちその接触による圧力センサ３０に対する加圧量についても、把握し得るようになる。したがって、その場合に、術者は、例えば、体内組織に対する湾曲部１２の接触の強さを調整（加減）したり、接触の強さが体内組織に損傷を与える強さであるか否かを判断する、といったことを行い得るようになる。
【００７４】
なお、圧力センサ３０の検知結果（すなわちモニタ部４での出力内容）については、内視鏡スコープ２の画像取得部で得られた画像と同期させて、内視鏡スコープ２の挿入部１０の体内挿入時のログ情報として記憶保持することが考えられる。このようにすれば、内視鏡スコープ２の画像取得部で観察可能となった腸管内等の様子のみならず、その腸管内等での挿入部１０（特に湾曲部１２）と体内組織との接触の有無や強さ等についても、これらを互いに関連付けつつ、ログ情報によって事後的に検証することが可能となる。
【００７５】
（３）圧力センサの他の具体例
次に、内視鏡スコープ２の挿入部１０に装着される圧力センサ３０の他の具体例について説明する。ただし、ここでは、上述した一具体例との相違点についてのみ説明し、当該一具体例と同様の点については説明を省略する。
【００７６】
（センサ負荷状態について）
圧力センサ３０は、印加圧力に応じて電気抵抗値が変化する感圧部材３１２を利用して加圧検知を行うように構成されている。そして、その感圧部材３１２は、上述した一具体例においては、第１電極３１１を被覆するように環状部分３１の全周（すなわち被検出箇所の周方向の全域）にわたって連続する一体構造により配置されている。
一方、圧力センサ３０が装着される内視鏡スコープ２の挿入部１０には、その挿入部１０を被覆する外皮が柔軟性を有しており、外部から局所的な加圧があると加圧箇所に凹状の変形が生じるように構成されたものがある。
このような変形が生じ得る挿入部１０に一体構造の感圧部材３１２が配置された環状部分３１を装着した場合には、感圧部材３１２が周方向に連続して構成されているため、外部からの負荷が作用していない箇所においても圧力センサ３０が反応を示してしまうおそれがある。
【００７７】
図８は、センサ負荷状態の一例を模式的に示す説明図である。
ここでは、図８（ａ）に示すように、挿入部１０の外周を囲うように配された第１電極３１１および感圧部材３１２を、仮想的に領域Ｉ〜領域ＩＶに分けて考える。第１電極３１１および感圧部材３１２を直線状に展開すると、図８（ｂ）に示すようになる。
このような第１電極３１１および感圧部材３１２に対して、例えば、図８（ｃ）に示すように、領域ＩＩに外部からの強い圧力が局所的に作用した場合には、その加圧の影響が領域ＩＩと連続する他の領域である領域Ｉおよび領域ＩＩＩにも及んでしまうおそれがある。つまり、各領域Ｉ〜ＩＩＩが連続していると、外部からの圧力が作用していない領域Ｉ，ＩＩＩにおいても反力が生じてしまい、その影響で領域Ｉ，ＩＩＩでも感圧部材３１２の電気抵抗値変化を検出するといったセンサ誤動作が起こり得る。
【００７８】
また、環状部分３１の装着箇所（すなわち、挿入部１０における被装着箇所）については、その外形に変形が生じることを想定する必要がある。例えば、挿入部１０の構成によっては、外部からの局所的な加圧により加圧箇所が凹むように変形することがあり得る。また、例えば、被装着箇所が湾曲部１２にある場合には、屈曲前後で屈曲箇所が相違するような変形が生じることがあり得る。
このような被装着箇所の変形に対しては、感圧部材３１２が周方向に連続して配置されていると、その変形に感圧部材３１２が追従することができず、その変形の影響でセンサ誤動作が生じてしまうことがあり得る。
【００７９】
（領域分割）
以上のことを鑑み、ここで例に挙げて説明する圧力センサ３０は、以下に述べるように構成されている。
図９は、圧力センサの他の具体例の構成要素を模式的に示す説明図である。
【００８０】
ここで説明する圧力センサ３０は、上述した一具体例の場合と同様に、第１電極３１１、感圧部材３１２、異方導電性布３１３ａを利用した第２電極３１３、および、フィルム部材３１４からなる構造体を円環状に成型して環状部分３１が構成されているが、図９（ａ）に示すように、その環状部分３１が周方向に領域分割されて感圧領域３５と非感圧領域３６とを備えている点で、上述した一具体例の場合とは異なる。
【００８１】
ここで「周方向に領域分割されて感圧領域３５と非感圧領域３６とを備えている」とは、一つ以上の感圧領域３５と一つ以上の非感圧領域３６とを備えるように、環状部分３１が周方向に領域分割されていることをいう。領域分割数については、各領域３５，３６を一つ以上備えていれば特に限定されるものではない。例えば、図９（ａ）に示す例では、領域Ｉ〜領域ＩＶのそれぞれに対応して四つの感圧領域３５が配され、各感圧領域３５の間に非感圧領域３６が介在するように配された、いわゆる四分割に構成された場合を示している。ただし領域分割数が四分割に限定されることはなく、八分割、十二分割等とすることも考えられる。領域分割数が多ければ（例えば十二分割）、環状部分３１を円形に近づけることができ、被検出箇所の外周への適合性が高くなり、センサ検出感度の向上が図れる。一方、領域分割数が少なければ（例えば四分割）、センサ構成の複雑化を抑制でき、製造コストの低減が図れる。また、感圧領域３５と非感圧領域３６は必ずしも同数である必要はなく、感圧領域３５同士が連続して配置されるような構成もあり得る。ただし、非感圧領域３６同士が連続する構成はない。
【００８２】
（感圧領域）
感圧領域３５は、加圧による変形量に応じて電気抵抗値が変化する感圧部材３１２を用いて加圧検知を行うように構成された領域である。つまり、感圧領域３５では、当該領域内の全域にわたって第１電極３１１、感圧部材３１２および第２電極３１３の積層体が配されて構成されている。ただし、感圧領域３５を構成する感圧部材３１２は、隣り合う感圧領域３５における感圧部材３１２とは連続しておらず、各感圧領域３５の間で分断されている。
【００８３】
（非感圧領域）
非感圧領域３６は、当該非感圧領域３６を挟んで隣り合う感圧領域３５同士を連結する領域である。ただし、非感圧領域３６には、感圧領域３５とは異なり、感圧部材３１２が配されていない。つまり、非感圧領域３６は、環状部分３１の周方向に沿って延びる第１電極３１１は存在するが、少なくとも感圧部材３１２が配されていないことから、加圧検知を行う機能を有していない。
【００８４】
また、非感圧領域３６は、各領域３５，３６の並び方向、すなわち環状部分３１の周方向に伸縮性を有して構成されている。具体的には、非感圧領域３６の部分においては、当該非感圧領域３６に存在する第１電極３１１が、環状部分３１の周方向への伸縮性を付与する連結形状に形成されている。「伸縮性を付与する連結形状」とは、環状部分３１に沿って延びるリング状を維持しつつ、その環状部分３１の周方向への伸縮を吸収する緩み（弛み）を有して感圧領域３５の部分同士を連結するように構成された形状のことをいい、具体的にはループ状、Ｖ字状、Ｕ字状、またはこれらに準ずる結線形状のことをいう。
【００８５】
（加圧検知）
以上のように、環状部分３１が感圧領域３５と非感圧領域３６とに領域分割された構成では、各感圧領域３５が分断されて連続していないことから、それぞれの感圧領域３５が独立して動作することが可能である。例えば、図９（ｂ）に示すように、領域ＩＩの感圧領域３５に対して外部からの強い圧力が局所的に作用した場合には、その感圧領域３５が他の感圧領域３５の影響を受けることなく独立して加圧検知を行う。そして、その感圧領域３５と隣り合う領域Ｉ，ＩＩＩの感圧領域３５に対して、局所的な加圧の影響が及んでしまうこともない。つまり、各感圧領域３５の独立性が担保されるので、局所的な加圧を適切に検出し得るようになり、その局所的な加圧箇所の隣接箇所や対極箇所等でのセンサ誤動作を防止できるようになる。
【００８６】
また、非感圧領域３６が伸縮性を有する構成では、環状部分３１の装着箇所（すなわち、挿入部１０における被装着箇所）の外形に変形が生じても、その変形に追従し得るようになる。例えば、外部からの局所的な加圧により加圧箇所が凹むように挿入部１０の被装着箇所が変形したり、屈曲により挿入部１０の被装着箇所が変形した場合であっても、非感圧領域３６が伸縮することでその変形に環状部分３１が追従し得るようになり、その変形の影響が感圧領域３５に及んでしまうことがない。つまり、非感圧領域３６が伸縮性を有していれば、挿入部１０の被検出箇所が変形しても、その変形に追従し得るようになり、被検出箇所の変形に起因するセンサ誤検出等が生じるのを抑制できるようになる。
【００８７】
（領域分割された環状部分の製造手順）
ここで、感圧領域３５と非感圧領域３６とに領域分割された環状部分３１の製造手順を説明する。ここでは、領域分割が十二分割である場合を例に挙げる。
図１０〜図１２は、圧力センサの他の具体例の構成要素の製造手順を示す説明図である。
【００８８】
領域分割された環状部分３１の製造にあたっては、先ず、図１０に示すように、第１電極３１１の周囲を感圧部材３１２で被覆して、第１電極３１１と感圧部材３１２とが同心状に配置されてなるものを形成する。第１電極３１１および感圧部材３１２の全体の軸方向長さは、環状部分３１の周長と同程度とする。
ただし、感圧部材３１２については、全体の軸方向長さを十二分割した長さのものを、その分割数に応じた個数（すなわち十二個）用意する。そして、用意した感圧部材３１２のそれぞれが軸方向に沿って並ぶように一列に配置する。
また、第１電極３１１については、伸縮性を付与する連結形状であるループ状部３１１ａが、複数箇所（例えば三箇所）に設けられている。このループ状部３１１ａは、感圧部材３１２で被覆されず露出したままとなる。つまり、第１電極３１１におけるループ状部３１１ａ以外の部分が感圧部材３１２で被覆される。ループ状部３１１ａは、各感圧部材３１２の間にそれぞれ配置してもよいが、センサ構成の複雑化や非感圧領域３６の増大等を抑制するため、図例のように三つの感圧部材３１２置きに配置することが考えられる。なお、ループ状部３１１ａは、伸縮性を付与し得るものであれば、Ｖ字状、Ｕ字状、またはこれらに準ずる結線形状のものであってもよい。
【００８９】
ループ状部３１１ａを有する第１電極３１１を十二分割した各感圧部材３１２で被覆してなる被覆体を形成した後は、次いで、図１１に示すように、所定サイズの異方導電性布３１３ａを用意し、異方導電性布３１３ａの複数の導電性糸３１３ｃが第１電極３１１と直交するように、形成した被覆体を異方導電性布３１３ａに挟んで当該異方導電性布３１３ａを折り畳む。折り畳まれた異方導電性布３１３ａでは、複数の導電性糸３１３ｃのそれぞれが第２電極３１３を構成する。
このとき、ループ状部３１１ａについては、伸縮性が阻害されないように、異方導電性布３１３ａによって覆われないようにする。つまり、異方導電性布３１３ａは、ループ状部３１１ａの箇所で分断されたものとなる。異方導電性布３１３ａの分断は、異方導電性布３１３ａの折り畳み後に切断することによって行ってもよいし、分断後のサイズの異方導電性布３１３ａを予め用意することで行ってもよい。
また、隣り合う感圧部材３１２同士の間については、各感圧領域３５の独立性が阻害されないように、異方導電性布３１３ａに切り込み３１３ｄを入れることが好ましい。
【００９０】
異方導電性布３１３ａを折り畳んだ状態とした後は、次いで、第１電極３１１および第２電極３１３に対して信号線３２を接続する。
このとき、異方導電性布３１３ａには、感圧部材３１２が配置されていない箇所（例えば感圧部材３１２同士の間）を通る導電性糸３１３ｃを信号線３２と導通させないために、その導電性糸３１３ｃを含む一部領域を切除して切欠き部３１３ｅを形成する。切欠き部３１３ｅを形成しておけば、例えば感圧部材３１２が配置されていない箇所を通る導電性糸３１３ｃが解れて第１電極３１１との接触が生じても、電気的短絡が生じてしまうことがない。
【００９１】
その後は、ループ状部３１１ａによる伸縮性が阻害されないようにしつつ、異方導電性布３１３ａ等をフィルム部材３１４で被覆し、その被覆後の構造体が円環状となるように成形する。これにより、感圧部材３１２の配置箇所が感圧領域３５として機能し、感圧部材３１２が配置されておらずループ状部３１１ａが設けられた箇所が非感圧領域３６として機能するように、領域分割がされた環状部分３１が得られることになる。
【００９２】
なお、上述した例では、ループ状部３１１ａが位置する非感圧領域３６において異方導電性布３１３ａが完全に分断されており、また電気的短絡防止のために切欠き部３１３ｅが形成されている場合を説明したが、異方導電性布３１３ａは、このような構成のものには限定されない。
例えば、図１２に示すように、異方導電性布３１３ａは、ループ状部３１１ａによる伸縮性が阻害されなければ、非感圧領域３６において完全に分断されたものではなく、ループ状部３１１ａに対応して一部箇所のみが切除された構成のものであってもよい。
また、異方導電性布３１３ａは、切欠き部３１３ｅが形成されておらずに、感圧部材３１２が配置されていない箇所を通る導電性糸３１３ｃが当該異方導電性布３１３ａから引き抜かれたもの、すなわち導電性糸３１３ｃが配されていない領域３１３ｆを有して構成されたものであってもよい。
【００９３】
いずれの構成であっても、異方導電性布３１３ａは、第２電極３１３を構成する導電性糸３１３ｃが感圧領域３５に対応する位置のみに配置されたものであればよい。「感圧領域３５に対応する位置のみ」とは、非感圧領域３６に対応する位置、および、連続配置された感圧領域３５と感圧領域３５との間に相当する位置を排除する構成を意味する。具体的には、上述したように、導電性糸３１３ｃを含む異方導電性布３１３ａの一部を切除する切欠き部３１３ｅを設けたり、異方導電性布３１３ａから導電性糸３１３ｃを引き抜いたりすることで実現することが考えられる。
このように、導電性糸３１３ｃが感圧領域３５に対応する位置のみに配置されていれば、非感圧領域３６に対応する位置や、連続配置された感圧領域３５と感圧領域３５との間に相当する位置等には、第２電極３１３が存在しないことになる。したがって、環状部分３１を周方向に領域分割する場合であっても、電気的短絡等が発生するおそれを排除することができ、電気的短絡等の発生に起因するセンサ誤検出等が生じるのを抑制することができる。
【００９４】
（環状部分の被検出箇所への装着）
以上の手順で製造される環状部分３１は、内視鏡スコープ２の挿入部１０における被検出箇所に装着される。挿入部１０の被検出箇所としては、湾曲部１２（特に、その屈曲極点）、先端部１１または軟性部１３の少なくとも一つが挙げられる。つまり、上述した一具体例に場合とは異なり、被検出箇所が湾曲部１２を含まないこともあり得る。ただし、ここで説明する他の具体例の圧力センサ３０も湾曲部１２に装着して非常に有用である点は、上述した一具体例に場合と同様である。
【００９５】
挿入部１０の被検出箇所への環状部分３１の装着は、例えば、両面テープ、接着剤または粘着材を利用して行うことが考えられるが、感圧領域３５のみが被検出箇所に対して位置固定され、非感圧領域３６については伸縮性が阻害されないように配される。なお、非感圧領域３６におけるループ状部３１１ａには、外部との電気的短絡を防止するための絶縁処理（例えば、線材の被服処理）が施されているものとする。
【００９６】
（センサ装着後の内視鏡スコープ）
感圧領域３５と非感圧領域３６とに領域分割された環状部分３１が装着された内視鏡スコープ２は、感圧領域３５が配された箇所において、被検出箇所に対する外部から加圧を検知することができる。このとき、環状部分３１では、領域分割されており、各感圧領域３５が分断されて連続していないことから、それぞれの感圧領域３５が独立して動作することが可能である。したがって、各感圧領域３５の独立性が担保されるので、局所的な加圧を適切に検出し得るようになり、その局所的な加圧箇所の隣接箇所や対極箇所等でのセンサ誤動作を防止できる。
また、環状部分３１では、非感圧領域３６が伸縮性を有しているので、外部からの局所的な加圧により加圧箇所が凹むように挿入部１０の被装着箇所が変形したり、屈曲により挿入部１０の被装着箇所が変形した場合であっても、その変形に環状部分３１が追従し得るようになり、その変形の影響が感圧領域３５に及んでしまうことがない。したがって、挿入部１０の被検出箇所が変形しても、その変形に追従し得るようになり、被検出箇所の変形に起因するセンサ誤検出等が生じるのを抑制できるようになる。
【００９７】
以上のことから、上述した構成の環状部分３１を有して構成された圧力センサ３０は、内視鏡スコープ２の挿入部１０（特に湾曲部１２）に装着されて用いられる場合に、非常に好適なものであるといえる。そして、その圧力センサ３０が湾曲部１２に装着されてなる内視鏡スコープ２は、局所的な加圧を適切に検出することができ、また被検出箇所の変形に起因するセンサ誤検出等が生じるのを抑制できるので、体内組織との接触について適切な加圧検知を行うことができる。
【００９８】
（４）本実施形態の効果
本実施形態で説明した圧力センサ３０、内視鏡スコープ２および内視鏡装置１によれば、以下に述べるいずれか一つまたは複数の効果が得られる。
【００９９】
（ａ）本実施形態においては、内視鏡スコープ２における先端部１１または軟性部１３ではなく、特に操作部２０からの操作に応じて屈曲する湾曲部１２に、圧力センサ３０が装着されている。このように、湾曲部１２に圧力センサ３０を装着すれば、内視鏡スコープ２は、湾曲部１２を屈曲させた際の生体組織(例えば腸壁)との接触を検知でき、挿入部１０の挿入作業の作業性が向上するとともに、腸穿孔等のトラブル発生回避に有効なものとなる。
しかも、本実施形態においては、湾曲部１２への装着のために、圧力センサ３０が湾曲部１２の周囲に装着される環状部分３１を有して構成されるとともに、その記環状部分３１の内周が湾曲部１２の屈曲箇所に対応する大きさに形成されている。このように、環状部分３１が湾曲部１２の屈曲箇所に対応する大きさに形成されていれば、湾曲部１２が屈曲する場合であってもセンサ誤検出等が生じるのを抑制でき、検出精度の向上を図ることが可能となる。
【０１００】
（ｂ）また、本実施形態においては、圧力センサ３０の環状部分３１が、特に湾曲部１２の屈曲極点の周囲に装着されるようになっている。湾曲部１２の屈曲極点は、屈曲の度合いが最も高まる点であり、尖り易い部分であることから、腸穿孔等を生じさせ易い部分である。このようなを被検出箇所として圧力センサ３０の環状部分３１を配置すれば、腸穿孔等のトラブル発生を回避する上で非常に有効なものとなる。しかも、その場合であっても、環状部分３１の内周を屈曲極点に対応する大きさに形成することで、センサ誤検出等が生じるのを抑制することができる。
【０１０１】
（ｃ）また、本実施形態においては、リング状に延びる第１電極３１１と、変形量に応じて電気的特性が変化する感圧部材３１２と、第１電極３１１と交差する方向に延びる第２電極３１３とからなる積層体を利用して加圧検知を行う。そのため、加圧による圧力値を電気抵抗値として取り出すことができ、簡素な構成で必要十分な感度や分解能等が得られるので、内視鏡スコープ２の挿入部１０に装着する上で非常に好適な圧力センサ３０を構成することができる。しかも、第１電極３１１がリング状であることから、圧力センサ３０は、湾曲部１２の屈曲にも適切に対応し得るものとなり、湾曲部１２がどの方向に屈曲しても、湾曲部１２に対する外圧が加われば、そのことを検出することができる。
【０１０２】
（ｄ）また、本実施形態においては、異方導電性布３１３ａにおける導電性糸３１３ｃが第２電極３１３を構成している。このように、異方導電性布３１３ａを利用して圧力センサ３０を構成すれば、異方導電性布３１３ａが柔軟性に富むことから、その圧力センサ３０は、湾曲部１２に装着する上で非常に好適なものとなる。しかも、異方導電性布３１３ａを利用して圧力センサ３０を構成すれば、必要十分な感度や分解能等を実現しつつ、センサの大型化等を抑制することができる。
【０１０３】
（ｅ）また、本実施形態においては、例えば上記（イ）の態様として説明したように、環状部分３１の内周が、湾曲部１２の非屈曲時の外周の大きさに対して所定の屈曲変化想定量を加味した大きさに形成されている。このように、環状部分３１の内周の大きさを湾曲部１２の非屈曲時よりも屈曲変化想定量の分だけ大きくすることで、湾曲部１２の屈曲によりその外周部分に皺１０ａが寄って外径が増大したような場合であっても、これにより圧力センサ３０の内周側が加圧されてしまうことがない。したがって、湾曲部１２が屈曲する場合であっても、これに起因するセンサ誤検出等が生じるのを抑制でき、検出精度の向上を図ることが可能となる。
【０１０４】
（ｆ）また、本実施形態においては、環状部分３１に付随して、第１ガイド部３３と第２ガイド部３４のいずれか一方または両方が設けられている。そのため、圧力センサ３０の環状部分３１が非屈曲時の湾曲部１２よりも大径に形成されている場合であっても、体内への挿入部１０の挿入作業時または体内からの挿入部１０の抜去作業時において、環状部分３１の引っ掛かり等が生じるのを抑制できるので、挿入部１０の作業性向上が図れる。
【０１０５】
（ｇ）また、本実施形態においては、例えば上記（ロ）または（ハ）の態様として説明したように、環状部分３１の内周が、変形抑制部材１４の外周に相当する大きさ（変形抑制部材１４と同様の機能の果たす回避機構が内包されている場合は当該回避機構を内包した被覆部分の外周に相当する大きさ）に形成されている。このように、変形抑制部材１４または回避機構が装着されている場合であれば、湾曲部１２が屈曲しても変形抑制部材１４または回避機構の装着箇所については皺１０ａが寄って外径が増大してしまうようなことがない。つまり、湾曲部１２が屈曲しても、これにより圧力センサ３０の内周側が加圧されてしまうことがない。したがって、湾曲部１２が屈曲する場合であっても、これに起因するセンサ誤検出等が生じるのを抑制しつつ、適切な大きさ（湾曲部１２に合致した大きさ）でのセンサ装着を行うことになり、検出精度の向上を図ることが可能となる。
【０１０６】
（ｈ）また、本実施形態においては、内視鏡スコープ２の挿入部１０に装着される圧力センサ３０の環状部分３１が、領域分割されて感圧領域３５と非感圧領域３６とを備えており、非感圧領域３６が周方向に伸縮性を有して構成されている。このように、環状部分３１が感圧領域３５と非感圧領域３６とに領域分割されていれば、圧力センサ３０では、各感圧領域３５が独立して動作することが可能となり、局所的な加圧を適切に検出し得るようになる。つまり、このうな構成の圧力センサ３０が装着された内視鏡スコープ２では、ある感圧領域３５に対して局所的な加圧があった場合に、その加圧の影響が他の感圧領域３５に及んでしまうのを回避し得るので、隣接箇所や対極箇所等でのセンサ誤動作を防止できるようになる。
しかも、非感圧領域３６が周方向に伸縮性を有しているので、圧力センサ３０は、内視鏡スコープ２の挿入部１０における被検出箇所が変形しても、その変形に追従し得るようになり、被検出箇所の変形に起因するセンサ誤検出等が生じるのを抑制することができる。
【０１０７】
（ｉ）また、本実施形態においては、圧力センサ３０が環状に形成された環状部分３１を備えているとともに、その環状部分３１が周方向に領域分割されており、非感圧領域３６が周方向に伸縮性を有して構成されている。このように構成されていれば、圧力センサ３０は、例えば内視鏡スコープ２の挿入部１０のような管状の被検出箇所に対しても容易に装着することができ、しかも全周方向について加圧を検出し得るようになる。しかも、非感圧領域３６が周方向に伸縮性を有しているので、被検出箇所が可撓性を有しており屈曲等によって変形が生じるように構成されている場合であっても、その変形に追従し得るようになり、被検出箇所の変形に起因するセンサ誤検出等が生じるのを抑制することができる。これらの点において、圧力センサ３０は、内視鏡スコープ２の挿入部１０への装着に適用して非常に好適なものであるといえる。
【０１０８】
（ｊ）また、本実施形態においては、第１電極３１１が感圧領域３５と非感圧領域３６とを通じて延びるリング状に構成されるとともに、非感圧領域３６の部分では当該第１電極３１１が挿入部１０の周方向への伸縮性を付与する連結形状に形成されている。このように、第１電極３１１がリング状であれば、圧力センサ３０は、環状部分３１を周方向に領域分割する場合であっても、センサ構成の簡素化が実現可能となる。さらには、被検出箇所の屈曲にも適切に対応し得るとともに、被検出箇所がどの方向に屈曲しても被検出箇所に対する加圧を検出し得るようになる。しかも、第１電極３１１がリング状であれば、非感圧領域３６の部分の連結形状を、例えばループ状、Ｖ字状、Ｕ字状、これらに準ずる結線形状等によって、周方向への伸縮を吸収する緩み（弛み）を有するように構成すればよく、非感圧領域３６の部分の構成の簡素化も図れるようになる。
【０１０９】
（ｋ）また、本実施形態においては、異方導電性布３１３ａにおける導電性糸３１３ｃが第２電極３１３を構成している。このように、異方導電性布３１３ａを利用して圧力センサ３０を構成すれば、環状部分３１を周方向に領域分割する場合であっても、異方導電性布３１３ａを分断したりループ状部３１１ａに対応して一部箇所のみを切除したりして対応することが可能となるので、その領域分割への対応が非常に容易なものとなる。
【０１１０】
（ｌ）また、本実施形態においては、異方導電性布３１３ａで第２電極３１３を構成する導電性糸３１３ｃが、感圧領域３５に対応する位置のみに配置されている。このように、導電性糸３１３ｃが感圧領域３５に対応する位置のみに配置されていれば、非感圧領域３６に対応する位置や、連続配置された感圧領域３５と感圧領域３５との間に相当する位置等には、第２電極３１３が存在しないことになる。したがって、環状部分３１を周方向に領域分割する場合であっても、異方導電性布３１３ａの導電性糸３１３ｃの解れ等による電気的短絡等が発生するおそれを排除することができ、電気的短絡等の発生に起因するセンサ誤検出等が生じるのを抑制することができる。
【０１１１】
（５）変形例等
以上に、本発明の実施形態について具体例を挙げて説明したが、本発明の技術的範囲は、上述した実施形態の内容に限定されるものではなく、発明の構成要件やその組み合わせによって得られる特定の効果を導き出せる範囲において、種々の変更や改良を加えた形態も含む。
【０１１２】
（圧力感応部）
例えば、上述した実施形態では、感圧部材３１２を構成する弾性体が感圧式導電性ゴムからなり、その感圧部材３１２における電気抵抗の変化を利用して圧力センサ３０が加圧検知を行う場合を例に挙げたが、本発明がこれに限定されることはない。つまり、圧力センサ３０は、圧力を受けることで生じた変形量に応じて電気的特性が変化するように構成されており、その電気的特性の変化を利用して加圧検知を行うものであればよい。ここでいう「電気的特性」が変化する圧力センサには、上述した実施形態で説明した電気抵抗が変化するものの他に、例えば、静電容量式の圧力センサや、圧力の大きさに応じた電圧を発生させる圧電素子等が含まれる。
また、感圧部材３１２を含む積層体についても、上述した実施形態では、チューブ状の感圧部材３１２によって第１電極３１１が被覆されるように構成される場合を例に挙げたが、本発明がこれに限定されることはなく、単に第１電極３１１と第２電極３１３との間に感圧部材３１２が介在しているだけのものであってもよい。少なくとも第１電極３１１と感圧部材３１２と第２電極３１３とが順に積層された積層体を備えていれば、圧力センサ３０が加圧検知を行うことが可能だからである。
さらに、積層体を構成する第２電極３１３についても、必ずしも異方導電性布３１３ａによって形成されたものである必要はなく、第１電極３１１と交差する方向に延びるものであれば、例えば導電性金属線材からなる線状電極を並べて構成されたものであってもよい。
【０１１３】
（リング状の第１電極）
また、上述した実施形態では、第１電極３１１が一方向（湾曲部１２の外周の周方向）のみに延びてリング状を構成する場合を例に挙げたが、本発明がこれに限定されることはない。つまり、第１電極３１１は、周方向以外の方向（例えば軸方向）に沿って延びる部分を有していても、全体としてリング状を構成するものであればよい。
図１３は、第1電極の変形例を模式的に示す説明図である。
図例の第１電極３１１は、湾曲部１２の軸方向に沿って延びる複数の直線部分を有するとともに、これら複数の直線部分を繋ぎ合わせることで全体としてリング状を構成している。そして、各直線部分は、感圧部材３１２によって被覆されている。このように、第１電極３１１は、湾曲部１２の軸方向に延びる直線部分を有したものであっても、全体としてリング状を構成していれば、湾曲部１２での加圧検出を行うことが可能である。しかも、第１電極３１１の直線部分が感圧部材３１２によって被覆されていれば、軸方向への検出領域の増大が図れる。
また、第１電極３１１が軸方向に延びる直線部分を有している場合には、その直線部分を感圧領域３５に配置し、直線部分を繋ぎ合わせる部分を非感圧領域３６に配置することが考えられる。このようにすれば、第１電極３１１が直線部分を有していても、その直線部分を繋ぎ合わせる部分をループ状部３１１ａと同様に機能させることで、非感圧領域３６が周方向に伸縮性を有するように構成することが実現可能となる。
【０１１４】
（領域分割の方向）
また、上述した実施形態では、感圧領域３５と非感圧領域３６への領域分割を行う場合に、その領域分割を一方向（挿入部１０の外周の周方向）のみに沿って行う場合を例に挙げたが、本発明がこれに限定されることはない。つまり、領域分割は、複数の方向（すなわち二次元方向）に行ってもよい。
図１４は、領域分割の変形例を模式的に示す説明図である。
図例の場合、非導電性繊維の織物３１３ｂに一定間隔で導電性糸３１３ｃが配された異方導電性布３１３ａに対して、その導電性糸３１３ｃの延在方向と略直交する方向に延びるように一定間隔で第１電極３１１が配されている。そして、第１電極３１１と第２電極３１３として機能する導電性糸３１３ｃとが交差する箇所では、第１電極３１１が感圧部材３１２によって被覆されている。また、感圧部材３１２による第１電極３１１の被覆は部分的なものであり、隣り合って配置された感圧部材３１２同士の間は第１電極３１１が被覆されておらず、被覆されていない第１電極３１１に対して伸縮性を付与する連結形状であるループ状部３１１ａが設けられている。
【０１１５】
このように構成された第１電極３１１、感圧部材３１２および第２電極３１３の積層体では、第１電極３１１と第２電極３１３とが交差する箇所が、外部からの加圧検知を行うこと感圧領域３５として機能し、他の箇所が非感圧領域３６として機能することなる。つまり、かかる積層体は、第１電極３１１の延在方向と第２電極３１３の延在方向とのそれぞれについて、感圧領域３５と非感圧領域３６に領域分割されている。しかも、少なくとも第１電極３１１の延在方向については、非感圧領域３６にループ状部３１１ａが設けられていることから、感圧領域３５と非感圧領域３６の各領域の並び方向に伸縮性を有して構成されている。したがって、かかる積層体が装着される被検出箇所が変形し得る場合であっても、その変形に追従し得るようになり、被検出箇所の変形に起因するセンサ誤検出等が生じるのを抑制することができる。
なお、ここでは、第１電極３１１の延在方向についてのみ伸縮性を付与する場合を例に挙げたが、第２電極３１３として機能する導電性糸３１３ｃについても、非感圧領域３６において伸縮性を付与するように、ループ状、Ｖ字状、Ｕ字状、これらに準ずる結線形状等ループ状部３１１ａのような結線形状等としてもよい。このようにすれば、二次元方向への変形にも追従し得るようになる。
【０１１６】
（被検出箇所への装着）
また、上述した実施形態では、内視鏡スコープ２の挿入部１０における被検出箇所として、特に湾曲部１２を例に挙げている。湾曲部１２へのセンサ装着を行う場合には、湾曲部１２が操作部２０の操作に応じて屈曲することから、上述した実施形態で説明したように、被検出箇所に装着される装着部分３１を環状に形成することが好ましい。
ただし、上述した実施形態で説明した装着部分３１は、湾曲部１２以外の箇所に装着されるものであってもよい。その場合、装着部分３１は、被検出箇所が屈曲しない箇所であれば、必ずしも環状に形成されている必要はなく、例えば平面状に形成されていてもよい。
装着部分３１が平面状に形成されていれば、その装着部分３１は、平面状の被検出箇所（例えば、内視鏡スコープ２の挿入部１０における先端部の一部分）に対して容易に装着することができる。しかも、その装着部分３１が感圧領域３５と非感圧領域３６に領域分割されていれば、被検出箇所が変形し得る場合であっても、その変形に追従し得るようになり、被検出箇所の変形に起因するセンサ誤検出等が生じるのを抑制することができる。
【０１１７】
（内視鏡スコープ以外への適用）
また、上述した実施形態では、大腸内を撮像する内視鏡スコープ２への適用を例に挙げたが、被術者の体内に挿入されて用いられるものであれば適用可能であり、本発明が大腸内視鏡検査の用途に限定されることはない。
特に、感圧領域３５と非感圧領域３６への領域分割がされた構成の圧力センサ３０については、被術者の体内に挿入する挿入部を有したものであれば、内視鏡スコープ２以外の手術用器具に適用することが考えられる。このような手術用器具としては、内視鏡スコープ２の他に、硬性鏡、鉗子等がある。さらに、手術用器具については、術者が手に持って操作するのみならず、例えばロボット手術システムに用いられるもののように、術者が間接的の操作するものであってもよい。
これと同様に、制御本体部３およびモニタ部４を含む内視鏡装置１についても、内視鏡スコープ２以外の手術用器具を備えた手術用装置であっても構わない。
【０１１８】
（６）本発明の好ましい態様
以下に、本発明の好ましい態様について付記する。
【０１１９】
[付記１]
本発明の一態様によれば、
先端部と、操作部の操作に応じて屈曲する湾曲部と、軟性部とが連なるように構成された内視鏡スコープの挿入部に装着されて用いられる圧力センサであって、
前記湾曲部の周囲に装着される環状部分を有して構成されるとともに、前記環状部分の内周が前記湾曲部の屈曲箇所に対応する大きさに形成される圧力センサが提供される。
【０１２０】
[付記２]
好ましくは、付記１に記載の圧力センサにおいて、
前記湾曲部の屈曲極点の周囲に装着されるとともに、前記環状部分の内周が前記屈曲極点に対応する大きさに形成される。
【０１２１】
[付記３]
さらに好ましくは、付記１または２に記載の圧力センサにおいて、
前記湾曲部の周方向に沿って延びるリング状の第１電極と、
圧力を受けることで生じた変形量に応じて電気的特性が変化する弾性体からなる感圧部材と、
前記第１電極の延在方向とは交差する方向に延びる線状の第２電極と、
が順に積層されてなる積層体を備え、
前記積層体が前記環状部分を構成する。
【０１２２】
[付記４]
さらに好ましくは、付記３に記載の圧力センサにおいて、
所定の間隔で配列された複数の導電性糸を有する異方導電性布を備え、
前記異方導電性布における前記導電性糸が前記第２電極を構成する。
【０１２３】
[付記５]
さらに好ましくは、付記１から４のいずれか一態様に記載の圧力センサにおいて、
前記環状部分の内周は、前記湾曲部の屈曲箇所に対応する大きさとして、当該湾曲部の非屈曲時の外周の大きさに対して所定の屈曲変化想定量を加味した大きさに形成される。
【０１２４】
[付記６]
さらに好ましくは、付記５に記載の圧力センサにおいて、
一端が前記湾曲部のセンサ装着位置よりも前記先端部の側で前記挿入部の外周に取り付けられ、他端が前記湾曲部のセンサ装着位置にて前記環状部分の外周に取り付けられ、前記一端から前記他端に向けて拡がるテーパ形状に形成された第１ガイド部を備える。
【０１２５】
[付記７]
さらに好ましくは、付記５または６に記載の圧力センサにおいて、
一端が前記湾曲部のセンサ装着位置にて前記環状部分の外周に取り付けられ、他端が前記湾曲部のセンサ装着位置よりも前記軟性部の側で前記挿入部の外周に取り付けられ、前記一端から前記他端に向けて窄まる逆テーパ形状に形成された第２ガイド部を備える。
【０１２６】
[付記８]
さらに好ましくは、付記１から４のいずれか一態様に記載の圧力センサにおいて、
前記環状部分の内周は、前記湾曲部の屈曲箇所に対応する大きさとして、当該屈曲箇所に装着されている変形抑制部材の外周に相当する大きさに形成される。
【０１２７】
[付記９]
さらに好ましくは、付記３に記載の圧力センサにおいて、
前記第１電極は、前記湾曲部の軸方向に沿って延びる複数の直線部分を有するとともに、前記複数の直線部分を繋ぎ合わせることで全体としてリング状を構成している。
【０１２８】
[付記１０]
本発明の他の態様によれば、
付記１から９のいずれか一態様に記載の圧力センサが前記湾曲部の周囲に装着されてなる内視鏡スコープが提供される。
【０１２９】
[付記１１]
本発明のさらに他の態様によれば、
付記１０に記載の内視鏡スコープと、
前記内視鏡スコープに装着された前記圧力センサからの検出信号を取得して処理する制御部と、
前記制御部による信号処理結果を出力する信号出力部と、
を備える内視鏡装置が提供される。
【０１３０】
[付記１２]
本発明のさらに他の態様によれば、
加圧を検知する圧力センサであって、
被検出箇所に装着される装着部分を有して構成され、
前記装着部分は、領域分割されて感圧領域と非感圧領域とを備えており、
前記感圧領域は、加圧により電気的特性が変化する感圧部材を用いて加圧検知を行うように構成されており、
前記非感圧領域は、当該非感圧領域を挟んで隣り合う前記感圧領域同士を連結するとともに、各領域の並び方向に伸縮性を有して構成されている
圧力センサが提供される。
【０１３１】
[付記１３]
好ましくは、付記１２に記載の圧力センサにおいて、
前記装着部分は、環状に形成されているとともに、周方向に領域分割されて前記感圧領域と前記非感圧領域とを備えており、
前記非感圧領域は、周方向に伸縮性を有して構成されている。
【０１３２】
[付記１４]
さらに好ましくは、付記１２または１３に記載の圧力センサにおいて、
一方向に延びる第１電極と、
圧力を受けることで生じた変形量に応じて電気的特性が変化する弾性体と、
前記一方向と交差する方向に延びる第２電極と、
が順に積層されてなる積層体を備え、
前記弾性体が前記感圧部材を構成し、
前記積層体が前記感圧領域を構成する。
【０１３３】
[付記１５]
さらに好ましくは、付記１４に記載の圧力センサにおいて、
前記第１電極は、前記感圧領域と前記非感圧領域とを通じて延びるリング状に構成されるとともに、前記非感圧領域の部分では前記挿入部の周方向への伸縮性を付与する連結形状に形成される。
【０１３４】
[付記１６]
さらに好ましくは、付記１４または１５に記載の圧力センサにおいて、
所定の間隔で配列された複数の導電性糸を有する異方導電性布を備え、
前記異方導電性布における前記導電性糸が前記第２電極を構成する。
【０１３５】
[付記１７]
さらに好ましくは、付記１６に記載の圧力センサにおいて、
前記異方導電性布は、前記第２電極を構成する前記導電性糸が前記感圧領域に対応する位置のみに配置されたものである。
【０１３６】
[付記１８]
さらに好ましくは、付記１５に記載の圧力センサにおいて、
前記第１電極は、前記挿入部の軸方向に沿って延びる複数の直線部分を有するとともに、前記複数の直線部分を繋ぎ合わせることで全体としてリング状を構成し、
前記直線部分が前記感圧領域に配置され、
前記直線部分を繋ぎ合わせる部分が前記非感圧領域に配置される。
【０１３７】
[付記１９]
さらに好ましくは、付記１２に記載の圧力センサにおいて、
前記装着部分は、平面状に形成されている。
【０１３８】
[付記２０]
本発明のさらに他の態様によれば、
被術者の体内に挿入する挿入部を有した手術用器具であって、
付記１２から１９のいずれか一態様に記載の圧力センサを備えるとともに、
前記挿入部に前記被検出箇所が配されており、当該被検出箇所に前記装着部分が装着されている
手術用器具が提供される。
【０１３９】
[付記２１]
好ましくは、付記２０に記載の手術用器具において、
前記手術用器具は、前記挿入部が屈曲するように構成された内視鏡スコープである。
【０１４０】
[付記２２]
好ましくは、付記２１に記載の手術用器具において、
前記内視鏡スコープにおける前記挿入部は、先端部と、操作部の操作に応じて屈曲する湾曲部と、軟性部とが連なるように構成されており、
前記圧力センサは、前記先端部、前記湾曲部、前記軟性部のいずれかの箇所、またはこれらの複数箇所に装着される。
【０１４１】
[付記２３]
本発明のさらに他の態様によれば、
付記２０から２２のいずれか一態様に記載の手術用器具と、
前記手術用器具に装着された前記圧力センサからの検出信号を取得して処理する制御部と、
前記制御部による信号処理結果を出力する信号出力部と、
を備える手術用装置が提供される。
【符号の説明】
【０１４２】
１…内視鏡装置（手術用装置）、２…内視鏡スコープ（手術用器具）、３…制御本体部（制御部）、４…モニタ部（信号出力部）、１０…挿入部、１１…先端部、１２…湾曲部、１３…軟性部、１４…変形抑制部材、２０…操作部、３０…圧力センサ、３１…環状部分（環状の装着部分）、３２…信号線、３３…第１ガイド部、３４…第２ガイド部、３５…感圧領域、３６…非感圧領域、３１１…第１電極、３１１ａ…ループ状部、３１１ｄ…切欠き部、３１２…感圧部材、３１３…第２電極、３１３ａ…異方導電性布、３１３ｃ…導電性糸、３１３ｅ…切欠き部、３１３ｆ…領域、３１４…フィルム部材
【図１】
0006601727.tif 000002
【図２】
0006601727.tif 000003
【図３】
0006601727.tif 000004
【図４】
0006601727.tif 000005
【図５】
0006601727.tif 000006
【図６】
0006601727.tif 000007
【図７】
0006601727.tif 000008
【図８】
0006601727.tif 000009
【図９】
0006601727.tif 000010
【図１０】
0006601727.tif 000011
【図１１】
0006601727.tif 000012
【図１２】
0006601727.tif 000013
【図１３】
0006601727.tif 000014
【図１４】
0006601727.tif 000015